(57)【特許請求の範囲】
【請求項１】
シール材を介して貼り合わされた一対の基板間に単一の液晶が封入された液晶表示装置であって、
動画を表示するデルタ画素配列の表示部及び静止画像を表示するストライプ画素配列の表示部を有する表示パネルを備えていることを特徴とする液晶表示装置。
【請求項２】
請求項１記載の発明において、前記デルタ画素配列の表示部と前記ストライプ画素配列の表示部との同色画素に同一の信号線が接続され、該信号線に接続された共通の信号線駆動用ドライバが前記表示パネルの所定の一辺上に設けられていることを特徴とする液晶表示装置。
【発明の詳細な説明】
【０００１】
【発明の属する技術分野】
この発明は液晶表示装置に関する。
【０００２】
【従来の技術】
例えば、カラー液晶表示装置の画素配列にはいくつかの種類があり、目的により使い分けられている。例えば、テレビ・ビデオ画像である動画を表示する場合には、フルカラーで表示するので、混色が自然となり、特に輪郭部分等が不自然にならないように表示することを目的として図５に示すように、デルタ画素配列のものが主に用いられ、文字・図形を静止画像で表示する場合には、輪郭を明瞭に際立たせて表示することを目的として図６に示すように、ストライプ画素配列のものが主に用いられている。
【０００３】
ところで、最近の情報携帯端末器等の表示部には、例えば上側をテレビ・ビデオ画像表示部とされ、下側を文字・図形表示部とされ、両表示部で同時に表示することができるようにしたものがある。
【０００４】
【発明が解決しようとする課題】
しかしながら、デルタ画素配列の液晶表示装置でテレビ・ビデオ画像表示と文字・図形表示とを行う場合には、文字・図形の表示の輪郭が不鮮明となり表示が見にくくなるという問題があった。一方、ストライプ画素配列の液晶表示装置でテレビ・ビデオ画像表示と文字・図形表示とを行う場合には、テレビ・ビデオ画像の混色が悪くなり、テレビ・ビデオ画像が見にくくなるという問題があった。この発明の課題は、１個の表示パネルでテレビ・ビデオ画像と文字・図形とを共に良好に表示することができるようにすることである。
【０００５】
【課題を解決するための手段】
この発明は、画素配列の異なる複数の表示部を有する表示パネルを備えたものである。
この発明によれば、表示パネルの表示部を例えばデルタ画素配列の表示部とストライプ画素配列の表示部とによって構成すると、１個の表示パネルでテレビ・ビデオ画像と文字・図形とを共に良好に表示することができる。
【０００６】
【発明の実施の形態】
図１はこの発明の一実施形態における液晶表示装置の平面図を示したものである。この液晶表示装置は１個の液晶表示パネル１を備えている。液晶表示パネル１は、下ガラス基板２と上ガラス基板３とがシール材（図示せず）を介して貼り合わされ、その間に液晶（図示せず）が封入された構造となっている。この場合、液晶表示パネル１の表示部の上側はテレビ・ビデオ画像表示部４となっており、下側は文字・図形表示部５となっている。また、下ガラス基板２の右辺、上辺及び下辺は上ガラス基板３から突出された突出部２ａ、２ｂ、２ｃを有している。そして、突出部２ａの上面にはテレビ・ビデオ画像表示部４用及び文字・図形表示部５用の走査線駆動用ドライバ（ＬＳＩ等の半導体チップ、以下同じ）６が搭載され、突出部２ｂの上面にはテレビ・ビデオ画像表示部４用の信号線駆動用ドライバ７が搭載され、突出部２ｃの上面には文字・図形表示部５用の信号線駆動用ドライバ８が搭載されている。
【０００７】
次に、図２はこの液晶表示装置の等価回路的平面図を示したものである。テレビ・ビデオ画像表示部４には赤、緑、青の各画素電極Ｒ、Ｇ、Ｂが、それぞれ、１行毎に１．５画素分ピッチがずれた配列、いわゆるデルタ配列とされている。つまり、図示はしないが、各画素電極Ｒ、Ｇ、Ｂに対しては、その対応する位置にそれぞれ、Ｒ、Ｇ、Ｂの各カラーフィルタが重合されている。画素電極Ｒ、Ｇ、Ｂには薄膜トランジスタ９のソース電極が接続されている。薄膜トランジスタ９のゲート電極は走査線１０を介して走査線駆動用ドライバ６に接続されている。薄膜トランジスタ９のドレイン電極は信号線１１を介して信号線駆動用ドライバ７に接続されている。この場合、各信号線１１には同色の画素電極Ｒ、Ｇ、Ｂが接続されている。
【０００８】
文字・図形表示部５には赤、緑、青の各画素電極Ｒ、Ｇ、Ｂが、行方向及び列方向に一直線上に配列された、いわゆるストライプ配列とされている。この場合にも、やはり、図示はしないが、各画素電極Ｒ、Ｇ、Ｂに対しては、その対応する位置にそれぞれ、Ｒ、Ｇ、Ｂの各カラーフィルタが重合されているのであるが、各画素電極Ｒ、Ｇ、Ｂが列方向に直線的に配列されているので、各カラーフィルターＲ、Ｇ、Ｂは、ストライプ状に形成することができ、このため、この配列はストライプ配列と言われる。文字・図形表示部５に形成された各画素電極Ｒ、Ｇ、Ｂは、その幅はテレビ・ビデオ画像表示部４に形成された各画素電極Ｒ、Ｇ、Ｂの幅と同じ大きさであるが、その長さはテレビ・ビデオ画像表示部４に形成された各画素電極Ｒ、Ｇ、Ｂの長さよりも大きくなっている。このようにすることにより、文字・図形表示部５に形成された各画素電極Ｒ、Ｇ、Ｂは、開口率が向上し、より明るく表示される。各画素電極画素電極Ｒ、Ｇ、Ｂには薄膜トランジスタ１２のソース電極が接続されている。薄膜トランジスタ１２のゲート電極は走査線１３を介して走査線駆動用ドライバ６に接続されている。薄膜トランジスタ１２のドレイン電極は信号線１４を介して信号線駆動用ドライバ８に接続されている。この場合も、各信号線１４には同色の画素電極Ｒ、Ｇ、Ｂが接続されている。
【０００９】
このように、この液晶表示装置では、液晶表示パネル１の表示部の上側がデルタ画素配列のテレビ・ビデオ画像表示部４となっており、下側がストライプ画素配列の文字・図形表示部５となっているので、１個の液晶表示パネル１でテレビ・ビデオ画像と文字・図形とを共に良好に表示することができる。
【００１０】
なお、上記実施形態では、両表示部４、５の各信号線１１、１４をそれぞれ別の信号線駆動用ドライバ７、８に接続した場合について説明したが、これに限定されるものではない。例えば、図３及び図４に示すように、テレビ・ビデオ画像表示部４の信号線１１と文字・図形表示部５の信号線１４とを接続し、両信号線１１、１４を下ガラス基板２の上辺の突出部２ｂの上面に搭載された共通の信号線駆動用ドライバ７に接続するようにしてもよい。この場合、相互に接続された各信号線１１、１４には両表示部４、５の同色の画素電極Ｒ、Ｇ、Ｂが接続されている。
【００１１】
このようにした場合には、相互に接続された各信号線１１、１４に両表示部４、５の同色の画素電極Ｒ、Ｇ、Ｂを接続しているので、信号線駆動用ドライバ７を共有化することができる。したがって、図１及び図２に示す場合と比較して、全体としての信号線駆動用ドライバが半減し、信号処理を簡素化することができる。また、下ガラス基板２の下辺を上ガラス基板３から突出させる必要がなく、液晶表示パネル１を小型化することができる。
【００１２】
【発明の効果】
以上説明したように、この発明によれば、シール材を介して貼り合わされた一対の基板間に単一の液晶が封入された液晶表示装置であって、動画を表示するデルタ画素配列の表示部及び静止画像を表示するストライプ画素配列の表示部を有する表示パネルを備えているので、単一の液晶で構成される１個の表示パネルでテレビ・ビデオ画像と文字・図形とを共に良好に表示することができる。
【図面の簡単な説明】
【図１】この発明の一実施形態における液晶表示装置の平面図。
【図２】図１に示す液晶表示装置の等価回路的平面図。
【図３】この発明の他の実施形態における液晶表示装置の平面図。
【図４】図３に示す液晶表示装置の等価回路的平面図。
【図５】デルタ画素配列を示す図。
【図６】ストライプ画素配列を示す図。
【符号の説明】
１  液晶表示パネル
４  テレビ・ビデオ画像表示部
５  文字・図形表示部
６  走査線駆動用ドライバ
７、８  信号線駆動用ドライバ
９、１２  薄膜トランジスタ
１０、１３  走査線
１１、１４  信号線
Ｒ、Ｇ、Ｂ  画素電極
【図１】
0003793865.tif 000002
【図２】
0003793865.tif 000003
【図３】
0003793865.tif 000004
【図４】
0003793865.tif 000005
【図５】
0003793865.tif 000006
【図６】
0003793865.tif 000007